(57)【要約】  電子機器１は、接触物による接触を検出する接触検出部４０と、接触検出部４０を振動させる振動部５０と、振動部５０が振動するように制御する制御部１０と、を備え、制御部１０は、振動部５０が振動するように制御している間、振動部５０が振動するように制御する前に接触検出部４０により検出された接触の位置を、接触検出部４０により検出されている接触の位置とみなすように制御することを特徴とする。
2012102048.tif 000002
【特許請求の範囲】
【請求項１】
接触物による接触を検出する接触検出部と、
前記接触検出部を振動させる振動部と、
前記振動部が振動するように制御する制御部と、を備え、
前記制御部は、前記振動部が振動するように制御している間、前記振動部が振動するように制御する前に前記接触検出部により検出された前記接触の位置を、前記接触検出部により検出されている接触の位置とみなすように制御することを特徴とする電子機器。
【請求項２】
接触物による接触を検出する接触検出部と、
前記接触検出部を振動させる振動部と、
前記振動部が振動するように制御する制御部と、を備え、
前記制御部は、前記振動部が振動するように制御している間に、前記接触検出部により前記接触物による接触が検出されなくなった場合、前記接触が検出されなくなる前に検出された前記接触の位置を、前記接触検出部により検出されている前記接触の位置とみなすように制御することを特徴とする電子機器。
【発明の詳細な説明】
【関連出願の相互参照】
【０００１】
本出願は、２０１１年１月２７日に出願された日本国特許出願２０１１−１５７０１号の優先権を主張するものであり、この先の出願の開示全体を、ここに参照のために取り込む。
【技術分野】
【０００２】
本発明は、電子機器に関するものである。より詳細には、本発明は、タッチセンサなどの接触検出部に対する操作入力に基づいて、アプリケーションソフトウェアを実行させるなど所定の処理を行う電子機器に関するものである。
【背景技術】
【０００３】
近年、携帯電話等の携帯端末において、操作者による操作を検出する部材として、タッチパネルやタッチスイッチ等のタッチセンサを備える電子機器が増えている。また、携帯端末以外に、電卓、券売機等の機器や、電子レンジ、テレビ、照明器具等の家電製品、産業用機器（ＦＡ機器）等、タッチセンサを備える電子機器は広く使用されている。【０００４】
このようなタッチセンサには、抵抗膜方式、静電容量方式、光学式等の種々の方式が知られている。これらいずれの方式のタッチセンサも、操作者の指やスタイラスペン等による接触を検出する。タッチセンサを備えた電子機器は、一般的に、タッチセンサの裏面に配置した表示部の表示画面上に、操作キーやボタンなどの画像（以下、「オブジェクト」と記す）を表示する。このような電子機器においては、表示画面上に表示されたオブジェクトを操作者が押圧すると、当該押圧の位置における接触を、タッチセンサが検出するようになっている。【０００５】
従来、タッチセンサは、種々のものが提案されている（例えば、特許文献１参照）。この特許文献１は、生産コストが安価であり小型化が可能なアナログタイプの抵抗膜式タッチパネルを提案している。特許文献１に記載されているようなタッチパネルは、スペーサにより僅かな間隔を空けた２枚の導電膜により構成される。このタッチパネルは、導電膜が押圧されて接触した位置を、一方の導電膜にかけられた電圧勾配により、他方の導電膜で電圧として読み取る構成になっている。【０００６】
ところで、上述したようなタッチセンサを備えた電子機器は、タッチセンサが検出する接触の位置に応じて、所定の異なる処理を行うものが多い。すなわち、表示部に表示されたオブジェクトの領域に対応するタッチセンサには、オブジェクトごとに異なる処理が割り当てられていることが多い。例えば、このような電子機器は、メニューボタンのオブジェクトに対応する位置のタッチセンサに接触が検出されると、メニュー画面を表示したり、方向キーのオブジェクトに対応する位置のタッチセンサに接触が検出されると、カーソルを移動させたりする。このように、例えば複数のオブジェクトに対する入力に応じて開始する処理を区別する場合などは、タッチセンサが接触を検出する際、当該接触の位置を検出する精度は極めて重要である。そこで、タッチセンサを用いて接触の位置を検出する際に、当該接触の位置を精度良く検出する技術も提案されている（例えば、特許文献２参照）。
【先行技術文献】
【特許文献】
【０００７】
【特許文献１】特開２００３−２４１８９８号公報
【特許文献２】特開２００５−２７５９３４号公報
【発明の概要】
【発明が解決しようとする課題】
【０００８】
上記特許文献２に記載のタッチパネル装置においては、タッチパネルを構成する２枚の導電膜の一方の抵抗値に依存した電圧降下が生じても、接点位置の検出結果に影響しない。すなわち、接点位置の検出結果から、２枚の導電膜の一方における電圧降下の影響を排除することができる。したがって、押下位置を正確に特定することができる。【０００９】
ところで、上記特許文献２に記載のタッチパネル装置は、スタイラスペン等のポインタ部材の接触により、タッチパネルにおける接点の位置を検出することを想定したものである。しかしながら、近年普及している携帯端末に備えられたタッチパネル装置は、操作者がスタイラスペン等を用いずに、操作者自らの指により直接操作入力を行うことを想定したものが多い。タッチセンサに対して操作者が指で操作入力を行う場合、スタイラスペン等の先細の部材を用いる場合とは異なり、タッチセンサが検出する接触の位置は、ある程度の面積を有するようになる。このように、タッチセンサが比較的大きな面積で接触されたり、同時に２つ以上の位置で接触されたりすると、２枚の導電膜が接続される部分が大きくなったり複数個所にわたったりする。【００１０】
タッチセンサ上で接触される部位がある程度の面積を有する場合、タッチセンサにより検出される接触位置は、接触されている部分のいずれかの位置となるため、当該検出される接触位置は所定の面積内においてばらつくようになる。このため、導電膜における抵抗値の分布が部分的に不均一となり、タッチセンサが接触の位置を検出する精度が低下する。【００１１】
以下、従来のタッチセンサにおいて操作者の接触を検出する際の様子を説明する。図４は、従来のタッチパネル装置におけるタッチセンサ４００を正面から平面視した概略図である。図４に示すように、タッチセンサ４００において位置を検出するために、仮想的にｘｙ座標系を規定する。【００１２】
このような状況において、操作者が自らの指によりタッチセンサ４００の表面に接触すると、操作者の指がタッチセンサ４００に接触する部分は、図中に示すαのような面積を有することになる。このように接触される部位が面積を有する場合、タッチセンサ４００が検出する接触位置は、図にバツ印で示すように、ある程度の面積にわたってばらつくようになる。なお、このようなタッチセンサを用いて接触位置を検出すると、図に示すように、接触の位置は、実際に接触されている面積α内から少し外れた（はみ出した）箇所においても検出される。すなわち、操作者が実際にタッチセンサ４００において接触していない箇所においても、接触位置のばらつきが見られる。これは、操作者の指がタッチセンサ４００に触れる面積よりも、タッチセンサ４００の導電膜同士が接触する部分の面積の方が若干大きくなること等が、要因として挙げられる。以下、このような現象についてさらに説明する。【００１３】
図５は、図４において説明した従来のタッチパネル装置におけるタッチセンサ４００の要部断面図である。図５（Ａ）に示すように、タッチセンサ４００は、上側の導電膜４００ａおよび下側の導電膜４００ｂにより構成されている。操作者が指により上側の導電膜４００ａを上方から押圧すると、図５（Ｂ）に示すように、上側の導電膜４００ａが撓むことにより、下側の導電膜４００ｂに接触する。操作者の指が上側の導電膜４００ａに接触しているのは面積αの部分のみであるが、図示のように、面積αの周囲の導電膜４００ａも同時に撓むため、上側の導電膜４００ａが下側の導電膜４００ｂに接触する面積βは、面積αよりも大きくなる。したがって、この場合タッチセンサ４００が検出する接触の位置は面積β内のいずれかの位置となり、面積β内において接触の位置がばらつくようになる。【００１４】
このように、接触の位置にばらつきが生じると、操作者は所定のオブジェクトに対応する位置のタッチセンサを接触しているつもりであっても、当該オブジェクトとは異なる位置における接触が検出されるという不都合が生じる。このような接触位置のばらつきは、操作者が強い押圧力によってタッチセンサを押圧すると、導電膜の接触面積がより大きくなるため、さらに顕著なものとなる。【００１５】
ところで、タッチセンサに対して接触操作が行われても、タッチセンサは押しボタンスイッチのようには物理的に変位しないため、操作者が当該操作に対するフィードバックを得ることができない。このため、最近では、タッチセンサが接触を検出すると、タッチセンサを振動させて、操作者の指先に振動を発生させるようにしたフィードバック方法を採用した端末が市販されている。このような端末によれば、接触操作を行う操作者は、タッチセンサに対して行った操作が端末に正しく認識されたことを、触覚により認識することができる。【００１６】
しかしながら、タッチセンサが操作者の接触を検出している最中に振動を発生させるということは、すなわち、操作者の接触を検出しているセンサを振動させることに他ならない。タッチセンサが操作者の接触を検出している最中に振動を発生させると、タッチセンサそのものが動くことはもちろん、接触している操作者の指も動くことになり、さらには図５にて説明した２枚の導電膜の接触状態も細かく変化することになる。このため、タッチセンサが振動している間、タッチセンサが検出する接触の位置は、ますますばらつくことになる。したがって、上述したような接触の位置を検出する精度の観点からすると、このように接触の検出中にタッチセンサを振動させると、接触の位置を正確に検出することはますます困難になる。【００１７】
また、タッチセンサが操作者の接触を検出している最中に振動を発生させると、タッチセンサが細かく動くことにより、操作者がタッチセンサを接触している指が、操作者の意図に反して、僅かな間タッチセンサから離れてしまうこともあり得る。このような場合、タッチセンサに対する操作者の接触が解除されるため、当該接触の解除に基づいて、例えば実行されていた所定の処理が終了したり、次の所定の処理が開始してしまうなど、操作者の意図に反する処理が行われることになる。【００１８】
したがって、かかる事情に鑑みてなされた本発明の目的は、接触検出部に振動を発生させる機構を備えた電子機器において、接触検出部に振動が発生していても、接触検出部が接触位置を正確に検出できる電子機器を提供することにある。
【課題を解決するための手段】
【００１９】
上記目的を達成する第１の観点に係る電子機器の発明は、
接触物による接触を検出する接触検出部と、
前記接触検出部を振動させる振動部と、
前記振動部が振動するように制御する制御部と、を備え、
前記制御部は、前記振動部が振動するように制御している間、前記振動部が振動するように制御する前に前記接触検出部により検出された前記接触の位置を、前記接触検出部により検出されている接触の位置とみなすように制御することを特徴とするものである。【００２０】
また、上記目的を達成する第２の観点に係る電子機器の発明は、
接触物による接触を検出する接触検出部と、
前記接触検出部を振動させる振動部と、
前記振動部が振動するように制御する制御部と、を備え、
前記制御部は、前記振動部が振動するように制御している間に、前記接触検出部により前記接触物による接触が検出されなくなった場合、前記接触が検出されなくなる前に検出された前記接触の位置を、前記接触検出部により検出されている前記接触の位置とみなすように制御することを特徴とするものである。
【発明の効果】
【００２１】
本発明によれば、接触検出部を備えた電子機器において、接触検出部に振動が発生していても、接触検出部が接触位置を正確に検出できる。
【図面の簡単な説明】
【００２２】
【図１】本発明の第１実施の形態に係る電子機器の概略構成を示す機能ブロック図である。
【図２】本発明の第１実施の形態に係る電子機器の処理を説明するフローチャートである。
【図３】本発明の第２実施の形態に係る電子機器の処理を説明するフローチャートである。
【図４】従来のタッチセンサにおいて検出される接触の位置を説明する図である。
【図５】従来のタッチセンサにおいて接触が検出される際の様子を説明する図である。
【発明を実施するための形態】
【００２３】
（第１実施の形態）
以下、本発明の第１実施の形態について、図面を参照して説明する。
【００２４】
図１は、本発明の第１実施の形態に係る電子機器の概略構成を示すブロック図である。
【００２５】
図１に示すように、第１実施の形態に係る電子機器１は、制御部１０と、表示部３０と、接触検出部４０と、振動部５０と、記憶部８０と、を備えている。
【００２６】
制御部１０は、電子機器１を構成する各機能部を制御することにより、電子機器１の全体を制御および管理する。制御部１０の処理のうち本実施の形態特有のものについては後述する。
【００２７】
表示部３０は、例えば押しボタンスイッチ（プッシュ式ボタンスイッチ）等のようなオブジェクトを画像で表示する。このオブジェクトは、接触検出部４０のタッチ面上において接触すべき領域を操作者に示唆する画像である。また、押しボタンスイッチとは、操作者が入力の操作に用いるボタンやキー等（以下、単に「キー等」と総称する）である。表示部３０は、例えば、液晶表示パネル（ＬＣＤ）や有機ＥＬ表示パネル等を用いて構成する。
【００２８】
接触検出部４０は、通常は表示部３０の前面に配置して、表示部３０に表示したオブジェクトに対する操作者の指やスタイラスペン等（以下、単に「接触物」と総称する）による接触を、対応する接触検出部４０のタッチ面において検出する。また、接触検出部４０は、タッチ面に対する接触物の接触の位置を検出し、当該検出した接触の位置を制御部１０に通知する。この接触検出部４０は、例えば抵抗膜方式、静電容量方式、光学式等の方式のもので構成されたタッチセンサを用いることができる。
【００２９】
振動部５０は、例えば圧電振動子等を用いて構成し、接触検出部４０を振動させる。この振動部５０は、所定の振動パターンによる振動を発生させることにより、タッチ面に接触している接触物に対して触感を呈示する。本実施の形態において、振動部５０は、制御部１０から供給される駆動信号に基づいて振動を発生する。すなわち、本実施の形態において、制御部１０は、振動部５０が振動するように制御する。また、この際、制御部１０は、接触検出部４０が検出する接触物の接触の位置に応じて、振動部５０を駆動する駆動信号を異ならせるように制御することもできる。つまり、制御部１０は、接触検出部４０が接触を検出した位置に対応する表示部３０に表示されたオブジェクトに応じて、異なる態様の振動を発生するよう制御することもできる。
【００３０】
記憶部８０は、例えばＮＡＮＤ型フラッシュメモリ等によって構成し、電子機器１において実行する各種のアプリケーションソフトウェア（以下、単に「アプリケーション」と記す）を記憶するのみならず、各種の情報を記憶することができる。特に、本実施の形態において、記憶部８０は、接触検出部４０が検出する接触の位置を、任意のタイミングで記憶することができる。
【００３１】
次に、本実施の形態に係る電子機器１が操作者の接触操作を検出する際の処理について説明する。
【００３２】
図２は、第１実施の形態に係る電子機器１による処理を説明するフローチャートである。本実施の形態において、電子機器１は、振動部５０が振動している最中は、当該振動を開始するよりも前に接触検出部４０が検出していた接触の位置を、接触検出部４０が現在検出している接触の位置として処理する。
【００３３】
以下、上述した処理の詳細を説明する。なお、本実施の形態の処理を開始するに際し、電子機器１は、アプリケーションの開始など所定の処理に関連付けられたキーやアイコンなどのオブジェクトを、少なくとも１つ予め表示部３０に表示しておくものとする。
【００３４】
本実施の形態における処理が開始すると、電子機器１の制御部１０は、接触検出部４０が操作者の指やスタイラスなど接触物の接触を検出したか否かを判定する（ステップＳ１１）。ステップＳ１１において接触物の接触が検出されたら、制御部１０は、当該接触の位置が、表示部３０に表示された所定のオブジェクトに対応する位置であるか否かを判定する（ステップＳ１２）。ステップＳ１２において接触の位置がオブジェクトに対応する位置である場合、制御部１０は、当該検出された接触の位置を記憶部８０に記憶する（ステップＳ１３）。
【００３５】
ステップＳ１３において接触の位置を記憶部８０に記憶したら、制御部１０は、接触が検出された位置に対応するオブジェクトに関連付けられた処理を開始する（ステップＳ１４）。「オブジェクトに関連付けられた処理」とは、例えば音楽プレーヤのアプリケーションを起動させるアイコン（オブジェクト）に対応する位置における接触が検出されたら、当該アイコンに関連付けられている音楽プレーヤのアプリケーションを起動することをいう。また、例えば文字入力モードなどで文字入力用のキーのオブジェクトに対応する位置における接触が検出されたら、当該オブジェクトに関連付けられている文字を表示部３０に表示すること等とすることができる。
【００３６】
ステップＳ１４においてオブジェクトに関連付けられた処理が開始されたら、制御部１０は、振動部５０が振動を発生するように制御する（ステップＳ１５）。ステップＳ１５においては、制御部１０は、接触が検出された位置に対応するオブジェクトに応じて、または接触の検出に基づいて開始される処理に応じて、発生する振動を異なる態様のものとすることもできる。
【００３７】
ステップＳ１５において振動が発生したら、制御部１０は、発生した振動がまだ継続しているか否かを判定する（ステップＳ１６）。ステップＳ１６において既に振動が継続していない場合、検出される接触の位置が振動によりばらつくことはないため、制御部１０は、ステップＳ１１に戻って処理を続行する。
【００３８】
ステップＳ１６においてまだ振動が継続している場合、当該振動によって、検出される接触の位置がばらつくことがあるため、制御部１０は、ステップＳ１７の処理を行う。ステップＳ１７において、制御部１０は、ステップＳ１３で記憶した接触の位置を、接触検出部４０が検出する接触の位置として用いるように制御する。具体的には、例えば、制御部１０は、ステップＳ１３で記憶した接触の位置を、接触検出部４０が検出する接触の位置の代用として採用すること等の処理を行うことができる。この後、制御部１０は、振動部５０が発生する振動が継続している間、ステップＳ１７の処理を継続する。
【００３９】
したがって、制御部１０は、振動部５０が振動するように制御している間、振動部５０が振動するように制御する前に接触検出部４０により検出された接触の位置を、接触検出部４０により検出されている接触の位置として処理するように制御する。すなわち、この場合、制御部１０は、振動部５０が振動するように制御する前に接触検出部４０により検出された接触の位置を、接触検出部４０により検出されている接触の位置とみなすように制御する。
【００４０】
このような処理を行うことにより、本実施の形態による電子機器１は、振動部５０が振動を発生している間、接触検出部４０が検出する位置として、振動発生前の位置を用いることになる。したがって、本実施の形態によれば、振動が発生している間であっても、接触検出部４０による接触位置の検出の精度を高めることができる。すなわち、本実施の形態によれば、振動が発生したことにより操作者が接触検出部４０を接触する位置がぶれたとしても、それが要因となって、検出される接触の位置がぶれるということはなくなる。
【００４１】
（第２実施の形態）
次に、本発明の第２実施の形態に係る電子機器について説明する。
【００４２】
第２実施の形態は、上述した第１実施の形態において、制御部１０による処理を変更するものである。すなわち、第２実施の形態に係る電子機器２は、図２にて説明した第１実施の形態に係る電子機器１において、ステップＳ１５の後に実行する処理を変更するものである。具体的には、第２実施の形態に係る電子機器２は、振動部５０が振動を発生している間に、接触検出部４０に対する接触が操作者の意図に反して解除されてしまった場合であっても、依然として適切な接触の位置を正確に検出する。
【００４３】
第２実施の形態に係る電子機器２は、上記の点以外においては、上述した第１実施の形態で説明した電子機器１と基本的に同じ機器構成および制御により実現することができる。このため、以下、第１実施の形態において説明したのと同じ内容になる説明は、適宜省略する。
【００４４】
図３は、第２実施の形態に係る電子機器２による処理を説明するフローチャートである。本実施の形態において、電子機器２は、振動部５０が振動している最中に、所定の短時間、接触検出部４０が検出していた接触の位置が検出されなくなった場合も、上述した第１実施の形態と同様の処理を行う。すなわち、このような場合、電子機器２は、当該振動を開始するよりも前に接触検出部４０が検出していた接触の位置を、接触検出部４０が現在検出している接触の位置として処理する。
【００４５】
図３に示すように、ステップＳ１１において接触検出部４０が接触を検出してから、ステップＳ１５において振動部５０が振動を発生するまでの処理は、第１実施の形態と同様であるため、詳細な説明を省略する。
【００４６】
ステップＳ１５において振動が発生したら、制御部１０は、接触検出部４０が検出する接触が途絶えたか否かを判定する（ステップＳ２１）。すなわち、ステップＳ２１においては、操作者が接触検出部４０を接触していた指先など（接触物）が接触検出部４０から離れることにより、接触検出部４０が接触を検出しなくなったか否かを判定する。ステップＳ２１において接触の途絶えが検出されない場合、制御部１０は、ステップＳ１６に移行して、これ以降は上述した第１実施の形態と同様の処理を行う。
【００４７】
一方、ステップＳ２１において接触の途絶えが検出された場合、制御部１０は、当該接触の途絶えが検出されてから所定の短時間が経過したか否かを判定する（ステップＳ２２）。ここで、「所定の短時間」とは、操作者が意図して接触検出部４０から接触を解除した操作と区別することができるように、例えば０．５秒とするなど、あまり長い期間の時間にはしないようにするのが好適である。ステップＳ２２において所定の短時間が経過した場合、制御部１０は、ステップＳ１１に戻って処理を続行する。
【００４８】
一方、上述のように、振動発生中に、接触検出部４０が一瞬の間接触を検出しなくなった後、再び接触検出部４０が接触を検出した場合、操作者は本来接触を解除する意図が無かったものと考えられる。したがって、ステップＳ２１において接触の途絶えが検出された場合でも、それが所定の短時間以内であれば（ステップＳ２２のＹｅｓ）、制御部１０は、ステップＳ１６に移行して、これ以降は上述した第１実施の形態と同様の処理を行う。
【００４９】
すなわち、制御部１０は、接触の途絶えが検出された場合でも、それが所定の短時間以内であって、まだ振動が継続していれば、ステップＳ１７の処理を行う。ステップＳ１７において、制御部１０は、第１実施の形態と同様に、ステップＳ１３で記憶した接触の位置を、接触検出部４０が検出する接触の位置として用いるように制御する。
【００５０】
したがって、制御部１０は、振動部５０が振動するように制御している間に、接触検出部４０により接触物による接触が検出されなくなったら、接触が検出されなくなる前に検出された接触の位置を、接触検出部４０により検出されている接触の位置として処理するように制御する。すなわち、この場合、制御部１０は、接触が検出されなくなる前に検出された接触の位置を、接触検出部４０により検出されている接触の位置とみなすように制御する。
【００５１】
ステップＳ１７の後、制御部１０は、ステップＳ２１に戻って、振動部５０が発生する振動が継続している間、接触の途絶えが検出されたか否か、また当該接触の途絶えが検出された場合には、それが所定の短時間内か否かを判定する。
【００５２】
このような処理を行うことにより、本実施の形態による電子機器２は、第１実施の形態で説明した電子機器１と同様の効果を有することになる。さらに、本実施の形態による電子機器２は、振動部５０が振動を発生している間、接触検出部４０が検出していた接触が一瞬検出されなくなったとしても、振動発生前の位置を用いることになる。したがって、本実施の形態によれば、振動が発生している間に操作者の接触が一瞬解除されてしまった場合であっても、接触検出部による接触位置の検出の精度を高めることができる。すなわち、本実施の形態によれば、振動が発生したことにより操作者の接触検出部４０に対する接触が一瞬離れてしまったとしても、それが要因となって、検出される接触の位置がぶれるということはなくなる。
【００５３】
なお、本発明は、上記実施の形態にのみ限定されるものではなく、幾多の変形または変更が可能である。例えば、上述した各実施の形態では、表示部３０にオブジェクトを表示して接触検出部４０が操作者の接触を検出する態様について説明した。しかしながら、本発明はこのような態様に限定されるものではなく、例えば表示部３０を有さずに、接触検出部４０のタッチ面上にオブジェクトがインクなどにより直接印刷されているような態様を想定することもできる。
【００５４】
また、上述した各実施の形態では、記憶部８０を別個の要素とする構成について説明した。しかしながら、本発明による電子機器は、このような構成に限定されるものではなく、設計の際の要求に応じて種々の構成を採ることができる。例えば、制御部１０が、自らのキャッシュメモリに記憶部８０の機能を含めるようにするなどの構成とすることもできる。
【００５５】
さらに、上述した各実施の形態では、ステップＳ１３において記憶部８０に接触位置を記憶し、ステップＳ１７において記憶部８０に記憶された接触位置を読み出して使用した。しかしながら、記憶部８０に接触位置を記憶するタイミングは、ステップＳ１３におけるタイミングに限定されるものではなく、設計の際の要求などに応じて種々の構成を採ることができる。例えば、第１実施の形態においては、接触の位置を記憶するタイミングは、ステップＳ１５において振動を発生するよりも前であれば、任意のタイミングとすることができる。また、例えば第２実施の形態においては、接触の位置を記憶するタイミングは、ステップＳ２１において短時間の接触の途絶えが検出されるよりも前であれば、任意のタイミングとすることができる。
【００５６】
例えば、振動部５０が振動を発生している間、制御部１０は、所定時間間隔で接触の位置を記憶部８０に記憶してもよい。この場合、制御部１０は、接触検出部４０により接触物による接触が検出されなくなったら、記憶部８０に記憶されている接触の位置のうち、接触検出部４０により接触物による接触が検出されなくなる直前に記憶部８０に記憶された接触の位置を、接触検出部４０により検出されている接触の位置として処理するように制御するのが好適である。
【００５７】
また、上記実施の形態では、接触検出部４０を用いて、当該接触検出部のタッチ面に対する接触を検出したが、押圧検出部を用いて、所定の基準を満たした場合に、接触がなされたものと判定することもできる。このような押圧検出部は、任意の個数の歪みゲージセンサ等を接触検出部４０に設けたものとして構成することができる。押圧検出部は、接触検出部４０のタッチ面に対する押圧を検出するもので、例えば、押圧に応じて物理的または電気的な特性（歪み、抵抗、電圧等）が変化する歪みゲージセンサや圧電素子等を用いて構成することができる。押圧検出部が例えば圧電素子等を用いて構成された場合、押圧検出部の圧電素子は、接触検出部４０のタッチ面に対する押圧に係る荷重（力）の大きさ（または、荷重（力）の大きさが変化する速さ（加速度））に応じて、電気的な特性である電圧の大きさ（電圧値）が変化する。押圧検出部は、この電圧の大きさ（電圧値（以下、単にデータと称する））を、制御部１０に通知して、制御部１０は、電圧値（データ）が所定の基準を満たした場合に、接触がなされたものと判定することができる。
【００５８】
また、このような押圧検出部は、接触検出部４０における接触検出方式に応じて構成することができる。例えば、抵抗膜方式の場合には、接触面積の大きさに応じた抵抗の大きさを、接触検出部４０のタッチ面に対する押圧の荷重（力）に対応付けることにより、歪みゲージセンサを用いることなく構成することができる。あるいは、静電容量方式の場合には、静電容量の大きさを、接触検出部４０のタッチ面に対する押圧の荷重（力）に対応付けることにより、歪みゲージセンサを用いることなく構成することができる。
【００５９】
また、振動部５０は、任意の個数の圧電振動子を用いて構成したり、接触検出部４０の全面に透明圧電素子を設けて構成したり、偏心モータを駆動信号の１周期で１回転させるようにして構成したり、することもできる。さらに、押圧検出部および振動部５０は、圧電素子を用いて構成する場合は、圧電素子を共用して押圧検出部兼振動部を構成することもできる。圧電素子は、圧力が加わると電力を発生し、電力が加えられると変形するためである。
【００６０】
また、上述したように、振動部５０は、押圧検出部も兼ねる圧電素子の電圧の大きさ（電圧値（データ））が所定の基準を満たした際に、当該圧電素子を駆動することにより振動を発生するようにもできる。ここで、圧電素子の電圧の大きさ（電圧値（データ））が所定の基準を満たした際とは、電圧値（データ）が所定の基準値に達した際であってもよいし、電圧値（データ）が所定の基準値を超えた際でもよいし、所定の基準値と等しい電圧値（データ）が検出された際でもよい。
【００６１】
上述した実施の形態においては、接触検出部４０を表示部３０の上面に重ねて配置した構成を想定して説明した。本発明による電子機器は、このような構成にすることは必須ではなく、接触検出部４０と表示部３０とを離間した構成にすることもできる。しかしながら、接触検出部４０を表示部３０の上面に重ねて配置した構成とする方が、表示される画像と発生する振動（および開始される所定の処理）との対応関係を、操作者に容易に認識させることができる。
【００６２】
また、上述した実施の形態の説明における表示部３０および接触検出部４０は、表示部と接触検出部との両機能を共通の基板に持たせる等により、一体化した装置によって構成されるようにしてもよい。このように表示部と接触検出部との両機能を一体化した装置の構成の一例としては、液晶パネルが有するマトリクス状配列の画素電極群に、フォトダイオード等の複数の光電変換素子を規則的に混在させたものを挙げることができる。このような装置は、液晶パネル構造によって画像を表示する一方で、パネル表面の所望位置をタッチ入力するペンの先端で液晶表示用のバックライトの光を反射し、この反射光を周辺の光電変換素子が受光することによって、タッチ位置を検出することができる。
【００６３】
なお、振動部５０は、振動モータ（偏心モータ）などを利用して電子機器１を振動させることにより、接触検出部４０を間接的に振動させるように構成してもよいし、接触検出部４０に圧電素子などを配設することにより、接触検出部４０を直接的に振動させるように構成してもよい。
【００６４】
また、上述した第１実施の形態においては、電子機器１は、振動部５０が振動を発生している間、接触検出部４０が検出する位置として、振動発生前の位置を用いている。しかしながら、本発明の電子機器は、このような位置を用いることに限定されるものではない。例えば、本発明の電子機器は、振動部５０が振動を発生している間、接触検出部４０が接触物の接触を検出している場合には、接触検出部４０が検出する位置として、振動発生前の位置を用いるようにすることができる。一方、振動部５０が振動を発生している間に、接触検出部４０が接触物の接触を検出しなくなった場合には、接触検出部４０が検出する位置として、振動発生前の位置を用いることなく、接触検出部４０が接触物の接触を検出しなくなったことにより、接触の位置はないとして種々の処理を行うようにしてもよい。
【００６５】
また、上述した第２実施の形態において、制御部１０は、接触検出部４０により接触の途絶えが検出された場合、当該接触が途絶えている時間に関わらず、接触が検出されなくなる前に検出された接触の位置を、接触検出部４０により検出されている接触の位置とみなすように制御してもよい。
【符号の説明】
【００６６】
１  電子機器
１０  制御部
３０  表示部
４０  接触検出部
５０  振動部
８０  記憶部
【図１】
2012102048.tif 000003
【図２】
2012102048.tif 000004
【図３】
2012102048.tif 000005
【図４】
2012102048.tif 000006
【図５】
2012102048.tif 000007
【国際調査報告】
2012102048.tif 000008
2012102048.tif 000009